(57)【要約】【課題】外枠の強度を十分に確保しつつ、パチンコ遊技機をガタツキなく設置島に固定させ、運搬時にパチンコ遊技機の重ね合わせ状態を保持するための従来手法を用いることができるパチンコ遊技機の外枠を提供すること。【解決手段】木質系上側補助枠板７は、２個の上側連結部材１０，１１を用いて上枠２と左右一対の側枠３，４とを連結固定する際に各上側連結部材１０，１１の水平部１０a，１１aによって上枠２の上側溝部６内に固定される。また、木質系下側補助枠板２３は、２個の下側連結部材２６，２７を用いて下枠５と左右一対の側枠３，４とを連結固定する際に各下側連結部材２６，２７の水平部２６a，２７aによって下枠５の下側溝部２２内に固定される。【選択図】図４
2006149540.tif 000002
【特許請求の範囲】
【請求項１】
遊技場内の設置島に予め形成された遊技機取付窓の上端部及び下端部にそれぞれ上側締着部材及び下側締着部材により固着されるパチンコ遊技機の外枠において、
上枠、下枠、左右一対の側枠と、前記上枠の左右両端部と前記左右一対の側枠の各上端部とが直交するコーナー部の外面に各々固定され、前記上枠と前記左右一対の側枠とを互いに連結固定するための断面L字状の２個の上側連結部材と、前記下枠の左右両端部と前記左右一対の側枠の各下端部とが直交するコーナー部の外面に各々固定され、前記下枠と前記左右一対の側枠とを互いに連結固定するための断面L字状の２個の下側連結部材とを有する矩形フレームと、
前記上枠の上面に予め形成された左右方向の上側溝部に上方から収容される上側補助枠板であって、左右両端部に前記各上側連結部材の水平部と係合可能な段差部を有し、両段差部に各々前記各上側連結部材の水平部が係合することにより左右方向の移動が規制される上側補助枠板と、
前記下枠の下面に予め形成された左右方向の下側溝部に下方から収容される下側補助枠板であって、左右両端部に前記各下側連結部材の水平部と係合可能な段差部を有し、両段差部に各々前記各下側連結部材の水平部が係合することにより左右方向の移動が規制される下側補助枠板と、
前記上枠の上側溝部に形成され、前記上側締着部材が挿通可能な上側貫通孔と、
前記下枠の下側溝部に形成され、前記下側締着部材が挿通可能な下側貫通孔と、
を備えることを特徴とするパチンコ遊技機の外枠。
【発明の詳細な説明】
【技術分野】
【０００１】
本発明は、パチンコ遊技機の外枠、詳しくは、遊技場内の設置島に締着部材によって取り付けられ、遊技盤取付枠などからなる遊技機本体部を開閉自在に保持するパチンコ遊技機の外枠に関する。
【背景技術】
【０００２】
パチンコ遊技機の外枠は、遊技盤取付枠などからなる遊技機本体部を開閉自在に保持する部材であり、従来、外枠として四角枠（矩形）形状のアルミ材を使用した外枠が知られている（例えば、特許文献１参照）。
【０００３】
パチンコ遊技機をパチンコホールなど遊技場に設置する際、外枠は遊技場内の設置島に取り付けられる。この外枠の取付方法は、予め設置島に形成された遊技機取付窓に外枠を嵌め込み、釘やビスなど締着部材を用いて外枠の上枠及び下枠を遊技機取付窓の上端部及び下端部に固着することによって行われる。
【０００４】
ここで、上記のように外枠がアルミ材からなる場合、上枠及び下枠に予め締着部材を通すための貫通孔を設けておく必要がある。しかし、アルミ材の硬度は締着部材と比べて高いため、上枠及び下枠の貫通孔の径が締着部材の径より小さいと、アルミ材の貫通孔に締着部材を通すことができなくなる。このため、図８に示すように、締着部材８０の径のバラつきを予め考慮し、上枠及び下枠の貫通孔（図８では上枠２の貫通孔２xを示す。）の径を締着部材８０の径よりも大きめに設定しておき、締着部材８０を貫通孔２xに確実に通すことができるようにする必要がある。なお、図８において、３００は遊技機取付窓、３０１はその上端部を表している。
【０００５】
しかし、このように貫通孔２xの径を大きめに設定すると、図８に示すように、締着部材８０と上枠２及び下枠との結合は殆ど無く、締着部材８０と遊技機取付窓３００との結合のみとなるため、結合強度が不足し、パチンコ遊技機にガタツキが生じやすくなる。
【０００６】
また、物流過程でパチンコ遊技機を自動車等車両に積載して運搬する際、荷台上の重ね合わせたパチンコ遊技機が車両の振動によって崩れないようにする必要がある。そのため、従来周知の木製の外枠を使用したパチンコ遊技機の場合、重ね合わせたパチンコ遊技機に当て木をし、釘などを用いてパチンコ遊技機の重ね合わせ状態を保持する手法がとられている。
【０００７】
しかし、アルミ材からなる外枠を使用したパチンコ遊技機の場合、従来と同じ手法を用い、当て木と釘などを用いてパチンコ遊技機の重ね合わせ状態を保持することができないため、他の何らかの対策を講じる必要があり、その一例として、特許文献２に記載の外枠が提案されている。
【０００８】
しかし、特許文献２に記載の外枠によると、少なくとも天板部１３に貫通孔３１を設け、貫通孔３１に木質系部材４０を嵌め込むよう構成されるため、少なくとも天板部１３の強度が低下すると考えられる。また、天板部１３に木質系部材４０を固着するにあたり、貫通孔３１が形成された凹部３０に木質系部材４０を嵌め込み、凹部３０及び木質系部材４０に穿設されたボルト孔３２，４１にボルト４２をねじ込むようにしており、作業が煩雑となる。
【０００９】
また、特許文献２に記載の外枠によると、木質系部材４０を外枠の天板部１３に対して容易に着脱できるよう上部から嵌めこむ構造にしているため、運搬時のように遊技機を適宜間隔で並べて桟木を打ち付けるには適しているが、遊技機を設置島に固定するには外枠の天板部１３に対して下から釘やビス等の締着部材を打ち付けるため、下から加わる力に対して強度的に不安が残る。
【特許文献１】特開２００３−３３５２７公報
【特許文献２】特開２００４−２６７４３９公報
【発明の開示】
【発明が解決しようとする課題】
【００１０】
本発明は、アルミ材など金属製の外枠を用いたパチンコ遊技機における上記のような問題点を解決し、外枠の強度を十分に確保しつつ、設置島に確実に固定することができるとともに運搬を容易に行うことができるパチンコ遊技機の外枠を提供することを目的とする。また、パチンコ遊技機の製造時の作業が簡便になるような副次的効果も得ることができるパチンコ遊技機の外枠を提供することを目的とする。
【課題を解決するための手段】
【００１１】
本発明によるパチンコ遊技機の外枠は、遊技場内の設置島に予め形成された遊技機取付窓の上端部及び下端部にそれぞれ上側締着部材及び下側締着部材により固着されるパチンコ遊技機の外枠において、上枠、下枠、左右一対の側枠と、前記上枠の左右両端部と前記左右一対の側枠の各上端部とが直交するコーナー部の外面に各々固定され、前記上枠と前記左右一対の側枠とを互いに連結固定するための断面L字状の２個の上側連結部材と、前記下枠の左右両端部と前記左右一対の側枠の各下端部とが直交するコーナー部の外面に各々固定され、前記下枠と前記左右一対の側枠とを互いに連結固定するための断面L字状の２個の下側連結部材とを有する矩形フレームと、前記上枠の上面に予め形成された左右方向の上側溝部に上方から収容される上側補助枠板であって、左右両端部に前記各上側連結部材の水平部と係合可能な段差部を有し、両段差部に各々前記各上側連結部材の水平部が係合することにより左右方向の移動が規制される上側補助枠板と、前記下枠の下面に予め形成された左右方向の下側溝部に下方から収容される下側補助枠板であって、左右両端部に前記各下側連結部材の水平部と係合可能な段差部を有し、両段差部に各々前記各下側連結部材の水平部が係合することにより左右方向の移動が規制される下側補助枠板と、前記上枠の上側溝部に形成され、前記上側締着部材が挿通可能な上側貫通孔と、前記下枠の下側溝部に形成され、前記下側締着部材が挿通可能な下側貫通孔と、を備えることを特徴とする。
【００１２】
本発明の外枠を遊技機取付窓の上端部及び下端部に固定するにあたっては、上側締着部材を上枠の上側貫通孔から上側補助枠板及び遊技機取付窓の上端部に打ち込み又はねじ込むとともに、下側締着部材を下枠の下側貫通孔から下側補助枠板及び遊技機取付窓の下端部に打ち込み又はねじ込むようにする。
【００１３】
本発明の外枠によると、遊技機取付窓の上端部内に係止した上側締着部材は、その頭部側が上側補助枠板によって保持されるため、上側締着部材が遊技機取付窓の上端部のみと結合する場合と比べ、矩形フレームの上枠と遊技機取付窓の上端部との結合強度が増大する。また、遊技機取付窓の下端部内に係止した下側締着部材は、その頭部側が下側補助枠板によって保持されるため、下側締着部材が遊技機取付窓の下端部のみと結合する場合と比べ、矩形フレームの下枠と遊技機取付窓の下端部との結合強度が増大する。したがって、パチンコ遊技機をガタツキなく設置島に固定させることができるようになる。また、上側締着部材及び下側締着部材で外枠を設置島の遊技機取付窓に固定するとき、上側締着部材の頭部及び下側締着部材の頭部がそれぞれ上側貫通孔及び下側貫通孔にも当接するようになるため、外枠の固定状態はさらに安定する。
【００１４】
また、上側補助枠板及び下側補助枠板に釘などを通すことができるため、物流過程でパチンコ遊技機を自動車等車両に積載して運搬する際、荷台上の重ね合わせたパチンコ遊技機の上側補助枠板及び/又は下側補助枠板に当て木をし、釘などを用いてパチンコ遊技機の重ね合わせ状態を保持することが可能となる。
【００１５】
また、上枠及び下枠には、上側補助枠板及び下側補助枠板を取り付けるための貫通孔が設けられていないため、上枠及び下枠の強度（堅牢性）を十分に確保することができる。
【００１６】
また、上側補助枠板は、２個の上側連結部材を用いて上枠と左右一対の側枠とを連結固定する際に各上側連結部材の水平部によって上枠の上側溝部内に固定されるようになり、また、下側補助枠板は、２個の下側連結部材を用いて下枠と左右一対の側枠とを連結固定する際に各下側連結部材の水平部によって下枠の下側溝部内に固定されるようになる。このため、外枠の製造作業時に、上側補助枠板及び下側補助枠板を各々上枠及び下枠に固定する作業を別個独立して行わなくて済むようになり、作業の簡便化を図ることができる。
【発明を実施するための最良の形態】
【００１７】
以下、本発明の実施形態を図面に基づいて説明する。
【００１８】
図１は、本発明の一実施形態に係る外枠に対して遊技盤取付枠などからなる遊技機本体部を開放した状態を示すパチンコ遊技機の斜視図、図２は、同外枠を上方から見たときの斜視図、図３は、同外枠を下方から見たときの斜視図、図４は、同外枠の上枠側の要部正面断面図、図５は、同外枠の下枠側の要部正面断面図、図６は、同外枠の上枠側の要部側面断面図、図７は、同外枠の上枠側を設置島の遊技機取付窓の上端部に固定した状態を示す要部断面図である。
【００１９】
図１〜図７において、パチンコ遊技機は、外枠１００と遊技機本体部２００とから構成され、遊技機本体部２００は、外枠１００の上下２つの金属製連結部材１０，２６に各々形成された軸受部３８，３９に開閉自在に取着されている。遊技機本体部２００は、遊技盤取付枠（内枠）２０１と前面枠（ガラス枠ユニット）２０２とからなり、前面枠２０２は、遊技盤取付枠２０１の前面に開閉自在に取着されている。
【００２０】
外枠１００は、金属製好ましくはアルミ製の矩形フレームからなる本体部１を備える。本体部１は、それぞれ押し出し成形により製造された上枠２と左側枠３及び右側枠４とを連結固定するとともに、下枠５と左側枠３及び右側枠４とを連結固定することによって一体化されている。
【００２１】
上枠２の上面には、長手方向に沿って上側溝部６が形成されている。この上側溝部６に、合板や集成材などからなる木質系上側補助枠板７が収容されている。木質系上側補助枠板７の両端部７a,７bは、僅かに薄肉に形成され、段差部を構成している。
【００２２】
木質系上側補助枠板７の両段差部７a,７bには、各々断面L字状の金属製の上側連結部材１０，１１の水平部１０a,１１aが係合しており、これにより木質系補助枠板７の左右方向の移動が規制されている。さらに、木質系上側補助枠板７は、両端の段差部７a,７bがビス８，９によって上側溝部６に固定されている。具体的には、木質系上側補助枠板７は、両端の段差部７a,７bの上面に各々上側連結部材１０，１１の水平部１０a,１１aが載り、水平部１０a,１１aの穿設孔１０b,１１b、段差部７a,７bの穿設孔７c,７d、上枠２の穿設孔２a,２bに順にビス８，９を通し、金属板材１２，１３のねじ孔１２a，１３aにビス８，９をねじ込むことによって上側溝部６に固定されている。このように木質系上側補助枠板７の両端に段差部７a,７bを設けることで、外枠１００の組み立て後、木質系上側補助枠板７の上面と上側連結部材１０，１１の水平部１０a,１１aとが略同じ高さになる。
【００２３】
ここで、一方の上側連結部材１０は、上記のように木質系上側補助枠板７を上側溝部６に固定する機能を果たすだけでなく、上枠２と左側枠３とを連結固定するための金具でもあり、上枠２と左側枠３は、上側連結部材１０を上枠２の上面及び左側枠３の外面に当てるとともに、２個の金属板材１２，１４を各々上枠２の下面及び左側枠３の内面に当て、上側連結部材１０の各穿設孔１０c，１０b，１０d，１０e、上枠２の各穿設孔２c，２a及び左側枠３の各穿設孔３a，３bに順にビス１５，８，１６，１７を通し、各金属板材１２，１４のねじ孔１２b，１２a、１４a，１４bにビス１５，８，１６，１７をねじ込むことによって互いに連結固定される。
【００２４】
また、他方の上側連結部材１１も、木質系上側補助枠板７を上側溝部６に固定する機能を果たすだけでなく、上枠２と右側枠４とを連結固定するための金具でもあり、上枠２と右側枠４は、上側連結部材１１を上枠２の上面及び右側枠４の外面に当てるとともに、２個の金属板材１３，１８を各々上枠２の下面及び右側枠４の内面に当て、上側連結部材１１の各穿設孔１１c，１１b，１１d，１１e、上枠２の各穿設孔２d，２b及び右側枠４の各穿設孔４a，４bに順にビス１９，９，２０，２１を通し、各金属板材１３，１８のねじ孔１３b，１３a、１８a，１８bにビス１９，９，２０，２１をねじ込むことによって互いに連結固定される。
【００２５】
下枠５の下面には、長手方向に沿って下側溝部２２が形成されている。この下側溝部２２に、合板や集成材などからなる木質系下側補助枠板２３が収容されている。木質系下側補助枠板２３の両端部２３a，２３bは、僅かに薄肉に形成され、段差部を構成している。
【００２６】
木質系下側補助枠板２３は、両端の段差部２３a，２３bがビス２４，２５によって下側溝部２２に固定されている。具体的には、木質系下側補助枠板２３は、両端の段差部２３a，２３bの下面に各々断面L字状の下側連結部材２６，２７の水平部２６a，２７aを当て、水平部２６a，２７aの穿設孔２６b，２７b、段差部２３a，２３bの穿設孔２３ｃ，２３ｄ、下枠５の穿設孔５a,５bに順にビス２４，２５を通し、金属板材２８，２９のねじ孔２８a，２９aにビス２４，２５をねじ込むことによって下側溝部２２に固定されている。このように木質系下側補助枠板２３の両端に段差部２３a,２３bを設けることで、外枠１００の組み立て後、木質系下側補助枠板２３の上面と下側連結部材２６，２７の水平部２６a,２７aとが略同じ高さになる。
【００２７】
ここで、一方の下側連結部材２６は、上記のように木質系下側補助枠板２３を下側溝部２２に固定する機能を果たすだけでなく、下枠５と左側枠３とを連結固定するための金具でもあり、下枠５と左側枠３とは、下側連結部材２６を下枠５の下面及び左側枠３の外面に当てるとともに、２個の金属板材２８，３０を各々下枠５の上面及び左側枠３の内面に当て、下側連結部材２６の各穿設孔２６c，２６b，２６d，２６e、下枠５の各穿設孔５c，５a及び左側枠３の各穿設孔３ｃ，３ｄに順にビス３１，２４，３２，３３を通し、各金属板材２８，３０のねじ孔２８b，２８a、３０a，３０bにビス３１，２４，３２，３３をねじ込むことによって互いに連結固定される。
【００２８】
また、他方の下側連結部材２７も、木質系下側補助枠板２３を下側溝部２２に固定する機能を果たすだけでなく、下枠５と右側枠４とを連結固定するための金具でもあり、下枠５と右側枠４とは、下側連結部材２７を下枠５の下面及び右側枠４の外面に当てるとともに、２個の金属板材２９，３４を各々下枠５の上面及び右側枠４の内面に当て、下側連結部材２７の各穿設孔２７c，２７b，２７d，２７e、下枠５の各穿設孔５d，５b及び右側枠４の各穿設孔４c，４dに順にビス３５，２５，３６，３７を通し、各金属板材２９，３４のねじ孔２９b，２９a，３４a，３４bにビス３５，２５，３６，３７をねじ込むことによって互いに連結固定される。
【００２９】
上記のように構成された外枠１００は、遊技場内の設置島に予め形成された遊技機取付窓３００の上端部３０１及び下端部３０２（図２及び図６参照）にそれぞれ上側締着部材５１，５２，５３，５４，５５，５６及び下側締着部材５７，５８，５９，６０，６１，６２により固着される。
【００３０】
具体的には、外枠１００を遊技機取付窓３００に嵌め、釘又はビスなど上側締着部材５１，５２，５３，５４，５５，５６を上枠２の上側貫通孔２e，２f，２g，２h，２i，２jから木質系上側補助枠板７及び遊技機取付窓３００の上端部３０１に適宜本数打ち込み又はねじ込むとともに、釘又はビスなど下側締着部材５７，５８，５９，６０，６１，６２を下枠５の下側貫通孔５e，５f，５g，５h，５i，５jから木質系下側補助枠板２３及び遊技機取付窓３００の下端部３０２に適宜本数打ち込み又はねじ込むようにする。
【００３１】
外枠１００が遊技機取付窓３００に取り付けられた後は、木質系上側補助枠板７は、遊技機取付窓３００の上端部３０１内に係止した上側締着部材５１，５２，５３，５４，５５，５６の頭部側を保持した状態となっており、また、木質系下側補助枠板２３は、遊技機取付窓３００の下端部３０２内に係止した下側締着部材５７，５８，５９，６０，６１，６２の頭部側を保持した状態となっている（図６、図７参照）。
【００３２】
このため、従来技術のように締着部材８０が遊技機取付窓３００の上端部３０１及び下端部のみと結合する場合（図８参照）と比べ、金属製矩形フレーム１の上枠２及び下枠５と遊技機取付窓３００の上端部３０１及び下端部３０２との結合強度が増大する。
【００３３】
以上説明したように、本実施形態によるパチンコ遊技機の外枠１００は、遊技場内の設置島に予め形成された遊技機取付窓３００の上端部３０１及び下端部３０２にそれぞれ上側締着部材５１〜５６及び下側締着部材５７〜６２により固着されるパチンコ遊技機の外枠１００において、金属製の上枠２、下枠５、左右一対の側枠３，４と、上枠２の左右両端部と左右一対の側枠３，４の各上端部とが直交するコーナー部の外面に各々固定され、上枠２と左右一対の側枠３，４とを互いに連結固定するための断面L字状の２個の金属製の上側連結部材１０，１１と、下枠５の左右両端部と左右一対の側枠３，４の各下端部とが直交するコーナー部の外面に各々固定され、下枠５と左右一対の側枠３，４とを互いに連結固定するための断面L字状の２個の金属製の下側連結部材２６，２７とを有する本体部１と、上枠２の上面に予め形成された左右方向の上側溝部６に上方から収容される木質系上側補助枠板７であって、左右両端部に各上側連結部材１０，１１の水平部１０a，１１aと係合可能な段差部７a，７bを有し、両段差部７a，７bに各々各上側連結部材１０，１１の水平部１０a，１１aが係合することにより左右方向の移動が規制される木質系上側補助枠板７と、下枠５の下面に予め形成された左右方向の下側溝部２２に下方から収容される木質系下側補助枠板２３であって、左右両端部に各下側連結部材２６，２７の水平部２６a，２７aと係合可能な段差部２３a，２３bを有し、両段差部２３a，２３bに各々各下側連結部材２６，２７の水平部２６a，２７aが係合することにより左右方向の移動が規制される木質系下側補助枠板２３と、上枠２の上側溝部６に形成され、上側締着部材５１〜５６が挿通可能な上側貫通孔２e〜２jと、下枠５の下側溝部２２に形成され、下側締着部材５７〜６２が挿通可能な下側貫通孔５e〜５jと、を備える。
【００３４】
本実施形態の外枠１００を遊技機取付窓３００の上端部３０１及び下端部３０２に固定するにあたっては、上側締着部材５１〜５６を上枠２の上側貫通孔２e〜２jから木質系上側補助枠板７及び遊技機取付窓３００の上端部３０１に打ち込み又はねじ込むとともに、下側締着部材５７〜６２を下枠５の下側貫通孔５e〜５jから木質系下側補助枠板２３及び遊技機取付窓３００の下端部３０２に打ち込み又はねじ込むようにする。
【００３５】
本実施形態の外枠１００によると、遊技機取付窓３００の上端部３０１内に係止した上側締着部材５１〜５６は、その頭部側が木質系上側補助枠板７によって保持されるため、上側締着部材５１〜５６が遊技機取付窓３００の上端部３０１のみと結合する場合と比べ、本体部１の上枠２と遊技機取付窓３００の上端部３０１との結合強度が増大する。また、遊技機取付窓３００の下端部３０２内に係止した下側締着部材５７〜６２は、その頭部側が木質系下側補助枠板２３によって保持されるため、下側締着部材５７〜６２が遊技機取付窓３００の下端部３０２のみと結合する場合と比べ、金属製矩形フレーム１の下枠５と遊技機取付窓３００の下端部３０２との結合強度が増大する。したがって、パチンコ遊技機をガタツキなく設置島に固定させることができるようになる。また、上側締着部材５１〜５６及び下側締着部材５７〜６２で外枠１００を設置島の遊技機取付窓３００に固定するとき、上側締着部材５１〜５６の頭部及び下側締着部材５７〜６２の頭部がそれぞれ上側貫通孔２e〜２j及び下側貫通孔５e〜５jにも当接するようになるため、外枠の固定状態はさらに安定する。
【００３６】
また、木質系上側補助枠板７は、その両端を上枠２と上側連結部材１０，１１により上下から挟み込まれているため、運搬時による当て木を打ち付ける衝撃にも、設置島への固定時による上側締着部材５１〜５６を打ち付ける衝撃にも耐えられるだけの強度を維持することが可能である。このことは、木質系下側補助枠板２３においても同様である。
【００３７】
また、木質系上側補助枠板７及び木質系下側補助枠板２３に釘などを通すことができるため、物流過程でパチンコ遊技機を自動車等車両に積載して運搬する際、荷台上の重ね合わせたパチンコ遊技機の木質系上側補助枠板７及び/又は木質系下側補助枠板２３に当て木をし、釘などを用いてパチンコ遊技機の重ね合わせ状態を保持することが可能となる。
【００３８】
また、上枠２及び下枠５には、特許文献２に記載されるような、木質系上側補助枠板７及び木質系下側補助枠板２３を取り付けるための貫通孔が設けられていないため、上枠２及び下枠５の強度を十分に確保することができる。
【００３９】
また、木質系上側補助枠板７は、２個の上側連結部材１０，１１を用いて上枠２と左右一対の側枠３，４とを連結固定する際に各上側連結部材１０，１１の水平部１０a，１１aによって上枠２の上側溝部６内に固定されるようになり、また、木質系下側補助枠板２３は、２個の下側連結部材２６，２７を用いて下枠５と左右一対の側枠３，４とを連結固定する際に各下側連結部材２６，２７の水平部２６a，２７aによって下枠５の下側溝部２２内に固定されるようになる。このため、外枠１００の製造作業時に、木質系上側補助枠板７及び木質系下側補助枠板２３を各々上枠２及び下枠５に固定する作業を別個独立して行わなくて済むようになり、作業の簡便化を図ることができる。
【００４０】
なお、上記実施形態では、上枠２及び下枠５に複数の上側貫通孔２e〜２j及び複数の下側貫通孔５e〜５jを設けているが、これらの貫通孔２e〜２j,５e〜５jの代わりに左右方向へ延びた長孔としてもよい。長孔とした場合、遊技機取付窓３００に上枠２及び下枠５を固定させるために上側締着部材５１〜５６及び下側締着部材５７〜６２を打ち付ける位置を長孔内において任意に選択できるようになる。
【００４１】
また、上記実施形態では、外枠１００をアルミ製として説明したが、堅牢な部材であれば金属製に限定されず、合成樹脂部材の外枠であってもよい。また、上側補助枠板７及び下側補助枠板２３は木質系に限定されず、硬質ウレタンなどであってもよい。
【図面の簡単な説明】
【００４２】
【図１】本発明の一実施形態に係る外枠に対して遊技盤取付枠などからなる遊技機本体部を開放した状態を示すパチンコ遊技機の斜視図である。
【図２】同外枠を上方から見たときの斜視図である。
【図３】同外枠を下方から見たときの斜視図である。
【図４】同外枠の上枠側の要部正面断面図である。
【図５】同外枠の下枠側の要部正面断面図である。
【図６】同外枠の上枠側の要部側面断面図である。
【図７】同外枠の上枠側を設置島の遊技機取付窓の上端部に固定した状態を示す要部断面図である。
【図８】従来の外枠を設置島の遊技機取付窓に固定した状態を示す要部断面図である。
【符号の説明】
【００４３】
１００    外枠
１    本体部
２    上枠
２e，２f，２g，２h，２i，２j    上側貫通孔
３，４    側枠
５    下枠
５e，５f，５g，５h，５i，５j    下側貫通孔
６    上側溝部
７    木質系上側補助枠板
７a，７b    段差部
１０，１１    上側連結部材
１０a，１１a    水平部
２２    下側溝部
２３    木質系下側補助枠板
２３a，２３b    段差部
２６，２７    下側連結部材
２６a，２７a    水平部
５１，５２，５３，５４，５５，５６    上側締着部材
５７，５８，５９，６０，６１，６２    下側締着部材
３００    遊技機取付窓
３０１    上端部
３０２    下端部
【図１】
2006149540.tif 000003
【図２】
2006149540.tif 000004
【図３】
2006149540.tif 000005
【図４】
2006149540.tif 000006
【図５】
2006149540.tif 000007
【図６】
2006149540.tif 000008
【図７】
2006149540.tif 000009
【図８】
2006149540.tif 000010